(57)【要約】      （修正有）【課題】途切れることなく受信する。【解決手段】地上ディジタル放送用のテレビ受信システムにおいて，受信信号から，希望信号を選局・復調する１３セグメント受信装置と，１セグメント受信装置と，どちらか一方の前記受信装置からの出力信号を選択的に出力する信号経路を有する信号経路選択手段と，から成り，前記１３セグメント受信装置には，少なくとも，前記受信信号の受信状態を監視・判定し，この結果に基づいて前記信号経路選択手段の経路切換制御を行う中央処理装置を備え，前記信号経路切換手段は，前記１３セグメント受信装置に備えた前記中央処理装置において生成された前記経路切換制御信号によって信号経路が切換制御され，前記中央処理装置において受信状態が所定の基準値を下回ると判断された場合は，前記１セグメント受信装置からの出力信号が出力されるように信号経路を切換えるように構成した。【選択図】図１
2006310948.tif 000002
【特許請求の範囲】
【請求項１】
地上ディジタル放送用のテレビ受信システムにおいて，
テレビ放送受信用のアンテナにおいて受信した受信信号から，希望信号を選局・復調する地上ディジタル放送用の１３セグメント対応の受信装置と，地上ディジタル放送用の１セグメント対応の受信装置と，
夫々の地上ディジタル放送用の受信装置からの出力信号を受入れると共に，どちらか一方の前記地上ディジタル放送用の受信装置からの出力信号を選択的に出力するように構成した信号経路を有する信号経路選択手段と，から成り，
前記１３セグメント対応の受信装置には，少なくとも，前記受信信号の受信状態を監視・判定し，この結果に基づいて前記信号経路選択手段の経路切換制御を行う中央処理装置を備え，
前記信号経路切換手段は，前記地上ディジタル放送用の１３セグメント対応の受信装置に備えた前記中央処理装置において生成された前記経路切換制御信号によって信号経路が切換制御され，前記中央処理装置において受信状態が所定の基準値を下回ると判断された場合は，前記地上ディジタル放送用の１セグメント対応の受信装置からの出力信号が出力されるように信号経路を切換えるように構成したことを特徴としたテレビ受信システム。
【請求項２】
前記テレビ受信システムは，
少なくとも，１若しくは２つ以上のアンテナと，
このアンテナからの受信信号を入力若しくは合成すると共に，入力若しくは合成した信号を所定レベルまで増幅する自動利得調整回路付きのテレビ受信用増幅装置と，
該テレビ受信用増幅装置において所定のレベルまで増幅された入力若しくは合成信号から，希望信号を選局・復調する地上ディジタル放送用の１３セグメント対応の受信装置と，地上ディジタル放送用の１セグメント対応の受信装置と，
夫々の地上ディジタル放送用の受信装置からの出力信号を受入れると共に，どちらか一方の前記地上ディジタル放送用の受信装置からの出力信号を選択的に出力するように構成した信号経路を有する信号経路選択手段と，から成り，
前記地上ディジタル放送用の１３セグメント対応の受信装置には，少なくとも，ＲＦフロントエンドにおける自動利得制御を行う自動利得調整手段と，前記受信信号の受信状態を監視・判定し，この結果に基づいて前記信号経路選択手段の経路切換制御を行う中央処理装置とを備え，
前記テレビ受信用増幅装置は，前記地上ディジタル放送用の１３セグメント対応の受信装置に備えた前記自動利得調整手段から出力される信号に対応した自動利得制御信号によって制御されると共に，
前記信号経路切換手段は，前記地上ディジタル放送用の１３セグメント対応の受信装置に備えた前記中央処理装置において生成された前記経路切換制御信号によって信号経路が切換制御され，前記中央処理装置において受信状態が所定の基準値を下回ると判断された場合は，前記地上ディジタル放送用の１セグメント対応の受信装置からの出力信号が出力されるように信号経路を切換えるように構成したことを特徴としたテレビ受信システム。
【請求項３】
前記テレビ受信用増幅装置には，前記各入力端子に引き続き，アンテナで受信したテレビ信号を通過し直流電源を阻止するコンデンサーと，前記入力端子とコンデンサーとの接続点に接続されて直流電源を通過し，前記テレビ信号を阻止するチョークコイルとから成る電源重畳手段を加えて備えたことを特徴とした請求項２に記載のテレビ受信システム。
【請求項４】
前記中央処理装置は，加えて備えて，前記地上ディジタル放送用の１３セグメント対応の受信装置において選局されたチャンネルのサービスＩＤに対応する放送データを取得するように構成され，前記中央処理装置において受信状態が所定の基準値を下回ると判断された場合は，前記１セグメント対応の受信装置は，前記中央処理装置を介して，前記１３セグメント対応の受信装置から得られた放送データに基づいて選局されるように構成されたことを特徴とした請求項１乃至請求項３の何れかに記載のテレビ受信システム。
【請求項５】
少なくとも，前記各受信装置と信号経路切換手段とを同一筐体に備えさせたことを特徴とした請求項１乃至請求項４の何れかに記載のテレビ受信システム。
【請求項６】
請求項５に記載のテレビ受信システムに用いられる受信端末装置であって，
該受信端末装置は，少なくとも，前記各受信装置と信号経路切換手段とを同一筐体に備えさせたことを特徴とした受信端末装置。
【発明の詳細な説明】
【技術分野】
【０００１】
本発明は，主に地上ディジタル放送受信用に利用されるテレビ受信システムに関し，詳しくは主に移動体に利用され，地上ディジタル放送を受信するためのテレビ受信システム及びこれに用いるテレビ受信用増幅装置，及び，受信端末装置に関する。
【背景技術】
【０００２】
従来からテレビ受信用増幅装置は，テレビ放送用のアンテナの近傍に取付けられて使用するものや，テレビやＶＴＲ等の端末側装置の近傍に取付けられるものがあった。前者はアンテナの近傍に取付けることになるため，テレビの画像を見ながら利得調整，アッテネータ等の作業をするためには工事者一人では無理があり，作業効率が著しく悪いものであった。
一方後者は，アンテナと増幅装置との間に介設した同軸ケーブルの伝送損失によって，増幅装置への入力レベルが低下しＣ／Ｎが劣化してしまう場合があった。そこで，このような問題点を解決するために，増幅装置をアンテナ近傍に設置する第１の増幅部と，端末側装置の近傍に設置する第２の増幅部とに分けたものが提案されおり，テレビアンテナで受信された信号は，同軸ケーブルを介して第１の増幅部に入力される。入力された信号は切換手段であるリレーでもって，第１の増幅器若しくは減衰器が選択されてから，電源分離フィルタを通過後に第１の増幅部から出力される。この選択は第２の増幅部に備えさせたスイッチの入り切りによって，この第２の増幅部に備えさせた電源から第２の増幅部の電源分離フィルタ，同軸ケーブル，第１の増幅部の電源分離フィルタを通してリレーに電源が入り切りされ，これによる当該リレーの切換えによって行われる。
更に第２の増幅部に備えさせた電源からは，前記第１の増幅器及び前記第２の増幅部に備えさせた第２の増幅器にも最適な電源が供給される。こうして第１の増幅部において増幅された受信信号は，同軸ケーブルを介して前記第２の増幅部に入力される。この入力信号は電源分離フィルタを通過後，可変減衰器で適宜利得調整されてから第２の増幅器で増幅された後に第２の増幅部から出力され，テレビ受像機２３に供給される。
従ってこの実施例では，テレビ受像機を見ながら利得調整ができるばかりでなく，スイッチの操作で増幅装置のダイナミックレンジを広げることができるので，電界強度が大きく異なる地域用に共通に使用できるテレビ受信用増幅装置が提供されている。
（例えば特許文献１参照）
【０００３】
【特許文献１】特開平６−３２６５３４号公報
【発明の開示】
【発明が解決しようとする課題】
【０００４】
しかし，従来のＴＶ受信用増幅装置によると，例えばＵＨＦ帯で開始される地上ディジタル放送を受信することを考えると，テレビ放送が２０１１年に完全にディジタル化されるまで，今現在における電波状態から，新たにＵＨＦ帯のチャンネルが増えたり，アナログ受信，ディジタル受信の相互に影響が出ないように対策をするために，地上ディジタル放送波の送信電力を徐々に増力したりすることになり，受信状況が変わる。これによって，テレビ受信用増幅装置には今まで以上に多チャンネルの信号が入力されたり，入力レベルが高く成ったりすることになり，増幅装置に過大レベルの入力信号が入力され，最悪の場合，増幅装置が歪んで映像に妨害を与えることになる。
【０００５】
ところで，地上ディジタル放送は高画質・高音質な放送ばかりでなく，データ放送などのサービスが受けられるのであるが，その利用方法の１つとして，例えば自家用車，タクシー等の移動体において，地上ディジタル放送を楽しむことが考えられる。このような場合，地上ディジタル用のアンテナを車のルーフ等に設置して，地上ディジタル放送用のチューナーなどの端末側装置を車内やトランクルーム等に設置し，運転席のダッシュボードや，シート等に設置された液晶テレビで見るような受信システムが考えられる。このシステムでは，アンテナからの同軸ケーブルは車内に引き込む必要があるので，テレビアンテナと端末側装置との間に介設される伝送線は，車体に合わせて配線するために可曲性に優れ，且つ，車内への引き込みが容易なように，細径の同軸ケーブルが適している。しかし，細径の同軸ケーブルは，一般的にホーム共同受信システムに用いられる５Ｃ相当の同軸ケーブルに対して伝送損失が大きく，その値は使用する周波数帯が高いほど大きくなることから，端末側装置（例えば，地上ディジタル放送用チューナー）に入力される信号レベルが低下し，これによって受信のＣ／Ｎ特性が劣化することになり，最悪の場合受信が不能となる。
【０００６】
そこで，アンテナと端末側装置との間にテレビ受信用増幅装置を介設して，安定的に受信をする方法が考えられるのであるが，Ｃ／Ｎを良好に保つには，増幅装置をアンテナ給電部に内蔵させたり，若しくはアンテナの近傍に設置したりすることが必要となる。ところが増幅度の高い増幅装置を，アンテナの近傍に配設すれば，発振する場合があるといった問題が有ったり，発振の問題が改善されたとしても，増幅度を上げるために増幅回路の構成部品が多くなったり，シールド性などの向上のためにケースの構造体が複雑になったりすることによって，結果的に増幅装置の外形が大きくなり，コストアップとなるばかりでなく，車両のルーフなどに設置し難いものになってしまうといった問題があった。
【０００７】
また，増幅装置を従来例のように，第１の増幅部と第２の増幅部とに構成して，第１の増幅部と第２の増幅部とを同軸ケーブルで接続するように構成すれば，Ｃ／Ｎの劣化の少ないテレビ受信用増幅装置が出来るのであるが，従来例に示すような回路構成にあっては，地上ディジタル放送波の送信電力などがフルパワーでない地域や，安定的に出されていない地域において使用に最適な状態に設置・調整がなされていても，地上放送における２０１１年以降の完全ディジタル化において，多チャンネル化や送信電力の増力化がなされた時には，増幅装置に過大入力が入力されて，増幅装置の入力がオーバーすることが考えられる。また，車のような移動体での使用においては，短時間の間に電界強度が大きく変化する場合があることを考えると，これらの入力の変化に対応するために，第２の増幅部に備えられたスイッチ操作によって，入力レベルの変化に対応する事は，移動時（即ち運転時）のような時には，瞬時の対応ができないといった問題があった。また，仮に操作可能にするためには，スイッチ操作をやり安いようにするために，第２の増幅部の設置場所が極めて限定されるといった問題があった。
【０００８】
そこで本発明はこのような問題点を解決するためになされたものであり，例えば複数の簡単な構成のダイポールアンテナを接続するだけの簡単な構成で，アンテナからの受信信号を合成し，無指向性アンテナように地上ディジタル放送等を安定的に受信できる。また，現時点において地上ディジタル放送波の送信電力などがフルパワーでない地域や，安定的に出されていない地域において使用する場合に，最適な受信状態に成るように設置されたままの状態であっても，２０１１年以降にテレビ放送が完全ディジタル化になり，現状の受信状態より多チャンネルの電波が入力されたり，送信電力の増力化がなされたりし，増幅装置に更に大きいレベルの信号が入力されても，自動的に最適な出力レベルが得られるテレビ受信システムを提供することにある。
また，受信レベルが低い場合であっても，ハイビジョン等の放送の受信に適した１３セグメント放送対応の受信装置と，画像の小さな簡易動画などの１セグメントを使用した補完放送の受信に適した１セグメント対応の受信装置を備えさせているので，ダイナミックレンジの広い範囲で１３セグメント対応の受信ができるばかりでなく，この１３セグメント対応の受信装置に備えた受信状態監視手段において受信状態を常時監視・判定することによって，受信状態が所定の状態を維持できないと判断した場合は，この前記受信状態監視手段から出力される制御信号から前記信号経路切換手段をコントロールすることによって，１セグメント対応の受信装置に自動的に切換えることができるので，電波の状態に合わせて，各種サービスの地上ディジタル放送を遅滞なく，楽しむことができるテレビ受信システムを提供することにある。
【課題を解決するための手段】
【０００９】
上記課題を解決するために，請求項１の発明は，地上ディジタル放送用のテレビ受信システムにおいて，テレビ放送受信用のアンテナにおいて受信した受信信号から，希望信号を選局・復調する地上ディジタル放送用の１３セグメント対応の受信装置と，地上ディジタル放送用の１セグメント対応の受信装置と，夫々の地上ディジタル放送用の受信装置からの出力信号を受入れると共に，どちらか一方の前記地上ディジタル放送用の受信装置からの出力信号を選択的に出力するように構成した信号経路を有する信号経路選択手段と，から成り，前記１３セグメント対応の受信装置には，少なくとも，前記受信信号の受信状態を監視・判定し，この結果に基づいて前記信号経路選択手段の経路切換制御を行う中央処理装置を備え，前記信号経路切換手段は，前記地上ディジタル放送用の１３セグメント対応の受信装置に備えた前記中央処理装置において生成された前記経路切換制御信号によって信号経路が切換制御され，前記中央処理装置において受信状態が所定の基準値を下回ると判断された場合は，前記地上ディジタル放送用の１セグメント対応の受信装置からの出力信号が出力されるように信号経路を切換えるように構成した。
【００１０】
請求項２の発明は，前記テレビ受信システムは，少なくとも，１若しくは２つ以上のアンテナと，このアンテナからの受信信号を入力若しくは合成すると共に，入力若しくは合成した信号を所定レベルまで増幅する自動利得調整回路付きのテレビ受信用増幅装置と，該テレビ受信用増幅装置において所定のレベルまで増幅された入力若しくは合成信号から，希望信号を選局・復調する地上ディジタル放送用の１３セグメント対応の受信装置と，地上ディジタル放送用の１セグメント対応の受信装置と，夫々の地上ディジタル放送用の受信装置からの出力信号を受入れると共に，どちらか一方の前記地上ディジタル放送用の受信装置からの出力信号を選択的に出力するように構成した信号経路を有する信号経路選択手段と，から成り，前記地上ディジタル放送用の１３セグメント対応の受信装置には，少なくとも，ＲＦフロントエンドにおける自動利得制御を行う自動利得調整手段３６と，前記受信信号の受信状態を監視・判定し，この結果に基づいて前記信号経路選択手段の経路切換制御を行う中央処理装置とを備え，前記テレビ受信用増幅装置は，前記地上ディジタル放送用の１３セグメント対応の受信装置に備えた前記自動利得調整手段から出力される信号に対応した自動利得制御信号によって制御されると共に，前記信号経路切換手段は，前記地上ディジタル放送用の１３セグメント対応の受信装置に備えた前記中央処理装置において生成された前記経路切換制御信号によって信号経路が切換制御され，前記中央処理装置において受信状態が所定の基準値を下回ると判断された場合は，前記地上ディジタル放送用の１セグメント対応の受信装置からの出力信号が出力されるように信号経路を切換えるように構成した。
【００１１】
請求項３の発明は，請求項２に記載のテレビ受信システムにおいて，前記テレビ受信用増幅装置には，前記各入力端子に引き続き，アンテナで受信したテレビ信号を通過し直流電源を阻止するコンデンサーと，前記入力端子とコンデンサーとの接続点に接続されて直流電源を通過し，前記テレビ信号を阻止するチョークコイルとから成る電源重畳手段を加えて備えた。
【００１２】
請求項４の発明は，請求項１乃至請求項３の何れかに記載のテレビ受信システムにおいて，前記中央処理装置は，加えて備えて，前記地上ディジタル放送用の１３セグメント対応の受信装置において選局されたチャンネルのサービスＩＤに対応する放送データを取得するように構成され，前記中央処理装置において受信状態が所定の基準値を下回ると判断された場合は，前記１セグメント対応の受信装置は，前記中央処理装置を介して，前記１３セグメント対応の受信装置から得られた放送データに基づいて選局されるように構成した。
【００１３】
請求項５の発明は，請求項１乃至請求項４の何れかに記載のテレビ受信システムにおいて，少なくとも，前記各受信装置と信号経路切換手段とを同一筐体に備えさせた。
【００１４】
請求項６の発明は，請求項５に記載のテレビ受信システムに用いられる受信端末装置であって，
該受信端末装置は，少なくとも，前記各受信装置と信号経路切換手段とを同一筐体に備えた。
【発明の効果】
【００１５】
請求項１の発明によれば，地上ディジタル放送用のテレビ受信システムにおいて，
テレビ放送受信用のアンテナにおいて受信した受信信号から，希望信号を選局・復調する地上ディジタル放送用の１３セグメント対応の受信装置と，地上ディジタル放送用の１セグメント対応の受信装置と，夫々の地上ディジタル放送用の受信装置からの出力信号を受入れると共に，どちらか一方の前記地上ディジタル放送用の受信装置からの出力信号を選択的に出力するように構成した信号経路を有する信号経路選択手段と，から成り，
前記１３セグメント対応の受信装置には，少なくとも，前記受信信号の受信状態を監視・判定し，この結果に基づいて前記信号経路選択手段の経路切換制御を行う中央処理装置を備え，前記信号経路切換手段は，前記地上ディジタル放送用の１３セグメント対応の受信装置に備えた前記中央処理装置において生成された前記経路切換制御信号によって信号経路が切換制御され，前記中央処理装置において受信状態が所定の基準値を下回ると判断された場合は，前記地上ディジタル放送用の１セグメント対応の受信装置からの出力信号が出力されるように信号経路を切換えるように構成したので，
受信状態が劣化し，１３セグメント対応の受信機の受信ができなくなっても，それを補完するように１セグメント対応の受信機で受信できるよう出力信号を切換えることによって，車などの移動体で地上ディジタル放送がいつでも楽しめるのである。
【００１６】
請求項２の発明によれば，前記テレビ受信システムは，少なくとも，１若しくは２つ以上のアンテナと，このアンテナからの受信信号を入力若しくは合成すると共に，入力若しくは合成した信号を所定レベルまで増幅する自動利得調整回路付きのテレビ受信用増幅装置と，該テレビ受信用増幅装置において所定のレベルまで増幅された入力若しくは合成信号から，希望信号を選局・復調する地上ディジタル放送用の１３セグメント対応の受信装置と，地上ディジタル放送用の１セグメント対応の受信装置と，夫々の地上ディジタル放送用の受信装置からの出力信号を受入れると共に，どちらか一方の前記地上ディジタル放送用の受信装置からの出力信号を選択的に出力するように構成した信号経路を有する信号経路選択手段と，から成り，前記地上ディジタル放送用の１３セグメント対応の受信装置には，少なくとも，ＲＦフロントエンドにおける自動利得制御を行う自動利得調整手段と，前記受信信号の受信状態を監視・判定し，この結果に基づいて前記信号経路選択手段の経路切換制御を行う中央処理装置とを備え，前記テレビ受信用増幅装置は，前記地上ディジタル放送用の１３セグメント対応の受信装置に備えた前記自動利得調整手段出力される信号に対応した自動利得制御信号によって制御されると共に，前記信号経路切換手段は，前記地上ディジタル放送用の１３セグメント対応の受信装置に備えた前記中央処理装置において生成された前記経路切換制御信号によって信号経路が切換制御され，前記中央処理装置において受信状態が所定の基準値を下回ると判断された場合は，前記地上ディジタル放送用の１セグメント対応の受信装置からの出力信号が出力されるように信号経路を切換えるように構成したことを特徴としたテレビ構成したので，
請求項１の実施例の効果に加えて，ダイナミックレンジの広いテレビ受信システムが提供できる。
【００１７】
請求項３の発明によれば，請求項２に記載のテレビ受信システムにおいて，前記テレビ受信用増幅装置には，前記各入力端子に引き続き，アンテナで受信したテレビ信号を通過し直流電源を阻止するコンデンサーと，前記入力端子とコンデンサーとの接続点に接続されて直流電源を通過し，前記テレビ信号を阻止するチョークコイルとから成る電源重畳手段を加えて備えたので，
更に加えて，Ｃ／Ｎの優れた受信ができる。
【００１８】
請求項４の発明によれば，請求項１乃至請求項３の何れかに記載のテレビ受信システムにおいて，前記中央処理装置は，加えて備えて，前記地上ディジタル放送用の１３セグメント対応の受信装置において選局されたチャンネルのサービスＩＤに対応する放送データを取得するように構成され，前記中央処理装置において受信状態が所定の基準値を下回ると判断された場合は，前記１セグメント対応の受信装置は，前記中央処理装置を介して，前記１３セグメント対応の受信装置から得られた放送データに基づいて選局されるように構成したので，
例えば１３セグメント対応の受信機による受信が出来なくなったとしても，１セグメント対応の受信機は，それまでに１３セグメント対応の受信機が受信していたチャンネルと連動して，同じ内容のチャンネルか，関連した番組が受信できるように自動的にチャンネルが切換わると共に，前記信号経路切換手段も１セグメント対応の受信機からの出力信号を出力するように切換わることによって，途切れることなく連続的に地上ディジタル放送を楽しむことができるのである。
【００１９】
請求項５の発明によれば，請求項１乃至請求項４の何れかに記載のテレビ受信システムにおいて，少なくとも，前記各受信装置と信号経路切換手段とを同一筐体に備えさせたので，
設置工事がやり易い受信システムを提供できる。
【００２０】
請求項６の発明によれば，請求項５に記載のテレビ受信システムに用いられる受信端末装置であって，
該受信端末装置は，少なくとも，前記各受信装置と信号経路切換手段とを同一筐体に備えたので，
取り扱いの容易で，受信システムの構築の容易な受信端末装置が提供できる。
【発明を実施するための最良の形態】
【００２１】
図１は本願に係る第１実施形態のテレビ受信システムの概略ブロック図である。図２は本願に係る第２実施形態のテレビ受信システムの概略ブロック図である。図３は第２実施形態の異なる実施例である。図４は本願に係る第３実施形態のテレビ受信システムの概略ブロック図である。図５は第３の実施形態の受信システムを用いた具体的な例である。
【実施例１】
【００２２】
図１において，１００は地上ディジタル放送受信用チューナーであり，主に固定受信や移動体において受信するための１３セグメント対応の受信機であり，概略の構成が示されている。アンテナ１において受信された地上ディジタル放送の受信信号は，選局部２１ａにおいて選局された後に，ＯＦＤＭ復調部２１ｂにおいて復調されて「０」，「１」の信号が取り出され，誤り訂正された後に受信信号に含まれるＴＳパケットに戻される。尚，前記選局部２１ａ及びＯＦＤＭ復調部２１ｂとでモジュール化されたフロントエンド２１を構成している。
このＴＳパケットには，映像や音声のパケット以外にも各種データが含まれており，多重分離部２５において，このＴＳパケットを目的別に分離され，映像・音声の圧縮されたパケットがＭＰＥＧデコード部２７に送られ，データ放送のパケットは中央処理装置２０に送られそれぞれ処理される。
前記映像・音声のパケットはＭＰＥＧデコード部２７において映像信号や音声信号が復号された後に，ディジタル／アナログ変換器２８，２９においてアナログ信号に変換されて出力されるように構成されている。
中央処理装置２０は上記信号処理における各種制御やデータの取得を行うばかりでなく，リモコンによる制御や，双方向サービスにおける通信の処理などを行うものである。
Ｂ−ＣＡＳカード３０は，暗号化さた信号を自動的に解除するためのものであり，著作権保護のためのコピー制御を行うものである。
【００２３】
１１０は地上ディジタル放送受信用チューナーであり，主に携帯受信によって簡易動画などを受信するための１セグメント対応の受信機であり，基本的な構成は上記実施例と同様な構成をしている。１１０ａはアンテナであり，１セグメント対応の受信機に内蔵させたものである。尚，このアンテナは外部に設置させたものであってもよい。
【００２４】
１２０は信号経路切換手段であり，チューナーから出力された映像信号と音声信号とを受入れる２系統の信号経路を備え，この信号経路を選択的に選んで出力させることができるＡＶ信号切換器である。
本願の実施例では，前記信号経路の切換は，以下に詳述するように，前記地上ディジタル放送受信用チューナー１００に備えさせた中央処理装置２０によって切換制御するように構成されているのであるが，マニュアル操作（所謂，手動操作）によってできるようにしても良い。
【００２５】
ここで，図１に示す受信システムについて詳しく説明する。地上ディジタル放送では，多彩なサービスが提供され，固定受信ばかりでなく移動体で受信したり，携帯受信したりできることが特長となっている。これができるのは，テレビチャンネルの帯域幅である６ＭＨｚを１４に分割し，この内の１３個（この１３個の夫々の周波数ブロックをセグメントと呼ぶ）を使用して放送するように構成されているのであるが，１つのチャンネルの中で，固定受信向け，移動体・携帯向けサービスが可能なように，セグメント毎に変調方式や誤り訂正の強さを変えられるようになっているためである。
つまりは，１３セグメントを全てを使って固定受信向けにハイビジョンを放送したり，１２セグメントを使ってハイビジョン放送を行い，残りの１セグメントを電波の変動に強い方式で変調することによって携帯受信向けにサービスを行ったり，色々な組合せでサービスが行えるのである。
この１セグメントを使用したサービスを行う場合は，１３セグメントの真ん中にあるセグメントを独立した１セグメントとして設けることで、受信機は周りのセグメントを受信しなくて、真ん中のセグメントだけを受信するような簡単な構成でできており，ハイビジョン放送の同時放送や天気予報等の，画像が小さい簡易動画等を受信するといった部分受信を行うものである。
【００２６】
ところで，車などの移動体で，地上ディジタル放送を受信する場合は，一般的に上述のような１３セグメント対応の受信機を用いて，例えば車載用の液晶テレビやＧＰＳモニタなどでテレビを楽しむことになるが，この場合は，移動しながらの受信となり，電波の状態が大きく変動することもあり，また，車載用のアンテナは固定局用のアンテナと比較してアンテナリ得意などの特性が良くないなど，安定して受信できない場合があり，アナログ放送受信の場合と違って，最悪，画面がフリーズしたり，映像断となったりする場合が考えられる。
そこで本願では，１３セグメント対応の受信機と１セグメント対応の受信機と，これらの前記地上ディジタル放送用の受信装置からの出力信号を選択的に出力するように構成した信号経路を有する信号経路選択手段と，を備えさせることによって，１３セグメント対応の受信機が受信状態の劣化によって受信できなくなった場合又は受信状態が予め定められた所定の基準値を下回るような場合に，１３セグメント対応の受信機に備えた中央処理装置２０においてこの状態を監視・判定し，これに基づいて前記信号経路選択手段を切換制御することによって，１セグメント対応の受信機でもって補完的に地上ディジタル放送を受信しようとするように構成されている。
これによって，何らかの要因で１３セグメント対応の受信機の受信ができなくなっても，それを補完するように１セグメント対応の受信機で受信できるので，車などの移動体で地上ディジタル放送がいつでも楽しめるのである。
【００２７】
本願の実施例において，前記中央処理装置２０が１３セグメント対応の受信機の受信状態を監視する項目の一例としては，前記フロントエンド部分２１で検出される受信レベルを検出して，該受信レベルが所定の値を下回るかどうかを監視し，受信レベルが所定の値を下回ったと判定されたなら，前記信号経路切換手段１２０を１セグメント対応の受信機１１０からの出力信号が出力されるように切換制御するように構成されている。
尚，監視項目として受信レベル（Ｃ／Ｎ）を監視する例を示したが，特にこの実施例に限定されるものではなく，ＢＥＲ（ＢＩＴ  ＥＲＲＯＲ  ＲＡＴＥ，ビット誤り率），ＡＧＣレベル，誤り訂正信号等であってもよく，また，適宜に組み合わせてもよい事は言うまでもない。また本願の実施例では，１３セグメント対応の受信機と１受信機セグメントの切換は自動的に行われるように構成される例を示したが，これに加えて，マニュアル操作で切換できるように構成してもよい。
更に，本願のテレビ受信システムでは，前記１３セグメント対応の受信機１００，１セグメント対応の受信機１１０及び信号経路切換手段１２０を別体に構成したが，少なくとも，前記１３セグメント対応の受信機１００，１セグメント対応の受信機１１０及び信号経路切換手段１２０を同一筐体に収納して受信装置を構成してもよい。
【実施例２】
【００２８】
次に図２を用いて，第２の実施形態について説明する。この実施例では，前記第１の実施形態に加えて２に示すテレビ受信用増幅装置を備えることにより，ダイナミックレンジの広い，より安定した受信ができるように構成したものである。
この実施例では，アンテナ１はテレビ放送受信用であり，地上ディジタル放送を自動車等の移動体で受信するために，ダイポールからなる３つのＵＨＦアンテナを相互に離して配設したものである。以下は説明を容易とするために３系統の内の１系統について説明する。
アンテナ１において受信された信号は，２に示すテレビ受信用増幅装置に入力される。入力されたテレビ信号は，このテレビ信号を所定範囲で減衰させる第１の信号減衰手段１２に入力される。この第１の信号減衰手段１２は，例えばＰＩＮダイオードからなる所謂π型の減衰器であり，後に詳述する１３セグメント対応の受信機１００における中央処理装置２０において生成される信号減衰手段制御電圧に対応した減衰量を得るように構成されている。
尚，図には示されていないが，入力と第１の信号減衰手段１２との間に，コンデンサーとコイルとから成る，ＶＨＦ帯の信号や，携帯電話（例えば８００ＭＨｚ帯）を阻止帯域とし，ＵＨＦ帯の信号を通過するように構成された例えばバンドパスフィルタ等のフィルタ手段を設けてもよい。
１３は前記第１の信号減衰手段１２において所定レベルだけ減衰させたテレビ信号を混合して，合成信号として出力する混合手段である。この混合手段１３は例えばフェライトのコアにポリウレタン線を巻回してなる混合器から構成されている。
【００２９】
１５−１は増幅部であって，混合手段１３から出力された合成信号を，所定レベルまで増幅するためのものであり，高周波増幅素子としてのトランジスタやＩＣ等から構成された高周波増幅回路である。次にこの増幅器１５−１において所定のレベルまで増幅された信号は，第２の信号減衰手段１６に入力される。この第２の信号減衰手段１６は，例えばＰＩＮダイオードからなる所謂π型の減衰器であり，前記第２の信号減衰器と同様に，後に詳述する中央処理装置２０において生成される信号減衰手段制御電圧に対応した減衰量を得るように構成されている。
次に第２の信号減衰手段１６を通過した信号は，増幅部１５−２において更に所定レベルまで増幅される。この増幅部１５−２も，例えば増幅素子としてのトランジスタ若しくはＩＣ等によって構成された高周波増幅回路であり，この増幅部１５−２において所定レベルまで増幅された合成信号はこの増幅装置２から出力される。
この増幅装置２から出力された信号は，同軸ケーブル７に介設した分配手段１１を介して１３セグメント対応の受信機１００及び１セグメント対応の受信機１１０に入力されている。
尚，本願の実施例ではテレビ受信用増幅装置２の動作電源は詳述されていないが，テレビ受信用増幅装置２内に，外部からの電源，例えば車のシガーライターから直流電源を得たり，ＡＣ電源から直流電源を生成する電源圧生成手段を設け，この電源電圧生成手段から直流電源を得たりするように構成してもよいし，例えば１３セグメント対応の受信機１００から同軸ケーブル７を介して供給される直流電源で動作させたりしてもよい。
【００３０】
ここで，前記第１の信号減衰手段１２と第２の信号減衰手段１５の制御について説明する。これらの制御信号は，１３セグメント対応の受信機の中央処理装置２０から出力される信号減衰手段制御信号で行われるように構成されている。
前記１３セグメント対応の受信機１００には，選局部２１ａと復調部２１ｂとから成るフロントエンド２１が備えられており，特にその選局部２１ａには，少なくとも受信した信号を所定レベルまで増幅する自動利得調整付きのＲＦ増幅器が備えられており，この自動利得調整は，前記中央処理装置２０が前記選局部２１ａや前記復調部２１ｂにおける所定のレベルを検出することによって，これに基づいて該中央処理装置２０から出力される自動利得制御信号によって制御されている。
そこで，このフロントエンドにおける自動利利得調整を利用して，この自動利得調整用の制御信号に対応して，テレビ受信用増幅装置に備えた信号減衰手段用の信号減衰手段制御信号を中央処理装置２０において生成し，この信号減衰手段制御信号をもちいて，テレビ受信用増幅装置２に備えられた前記信号減衰手段１２，１６を制御するように構成されており，１３セグメント対応の受信機のＡＧＣ  ＯＵＴ端子とテレビ受信用増幅装置のＡＧＣ  ＩＮ端子との間に介設した信号線８を介して前記信号減衰手段制御信号が供給されるように構成されることによって，前記テレビ受信用増幅装置２は自動利得調整回路付きの増幅器として動作するように構成されているのである。
これによって，ダイナミックレンジの広いテレビ受信システムが提供できるのである。
【００３１】
図３は第２実施形態の異なる実施例である。この実施例では，前記第２実施形態に加えて，テレビ受信用増幅装置２の入力側に，電流重畳手段５を備えたものであり，アンテナ１とテレビ受信用増幅装置２との間に前置増幅器３を備えさせ，この増幅器３に前記電流重畳手段５から電流を供給できるように構成したものであり，これによってより更にＣ／Ｎの優れた受信ができるようにしたものである。
【実施例３】
【００３２】
図４は本願に係る第３の実施形態を示す概略ブロック図を示している。この実施例では，前記実施形態に加えて備えて，前記中央処理装置２０には，１３セグメント対応の受信機１００において受信している放送データを取得すると共に，該データに対応する１セグメント対応の受信機１１０のチャンネル選択制御信号を生成することによって，１３セグメント対応の受信機１００のチャンネル切換に連動して，１セグメント対応の受信機１１０のチャンネル制御を行うように構成したものであり，これによって例えば１３セグメント対応の受信機による受信が受信状態の劣化によって出来なくなったとしても，１セグメント対応の受信機１１０は，それまでに１３セグメント対応の受信機１００が受信していたチャンネルと連動して，同じ内容のチャンネルか，関連した番組が受信できるように自動的にチャンネルが切換わると共に，前記信号経路切換手段１２０も１セグメント対応の受信機からの出力信号を出力するように切換わることによって，途切れることなく連続的に地上ディジタル放送を楽しむことができるのである。
本願の受信システムでは，前記テレビ受信用増幅装置２，前記１３セグメント対応の受信機１００，１セグメント対応の受信機１１０及び信号経路切換手段１２０を別体に構成したが，少なくとも，前記テレビ受信用増幅装置２，前記１３セグメント対応の受信機１００，１セグメント対応の受信機１１０及び信号経路切換手段１２０を同一筐体に収納して受信装置を構成してもよい。
尚，本発明は上記実施の形態に限定されるものではなく，本発明の趣旨を逸脱しない範囲で各部の構成を適宜に変更して実施することも可能である。
【図面の簡単な説明】
【００３３】
【図１】本願の受信システムを示す第１の実施形態の概略ブロック図である。
【図２】本願の受信システムを示す第２の実施形態の概略ブロック図である。
【図３】本願の受信システムを示す第２の実施形態の異なる実施形態の概略ブロック図である。
【図４】本願の受信システムを示す第３の実施形態の概略ブロック図である。
【図５】本願の第３の実施形態のテレビ受信システムを車に用いた具体例である。
【符号の説明】
【００３４】
１…アンテナ，２…テレビ受信用増幅装置，４…同軸ケーブル，５…電流重畳手段，７…伝送線路，８…信号線路，１１…分配手段，１２…第１の信号減衰手段，１３…分配手段，１５…増幅手段，１６…第２の信号減衰手段，２０…中央処理装置，２１…フロントエンド，２１ａ…選局部，２１ｂ…ＯＦＤＭ復調部，２３…デスクランブラ−，２５…多重分離部，２７…ＭＰＥＧデコーダ部，２８…ディジタル／アナログ変換器，２９…ディジタル／アナログ変換器，３０…Ｂ−ＣＡＳカード，１００…地上ディジタルチューナー（１３セグメント対応の受信機），１１０…地上ディジタルチューナー（１セグメント対応の受信機），１１０ａ…アンテナ，１２０…信号経路選択手段
【図１】
2006310948.tif 000003
【図２】
2006310948.tif 000004
【図３】
2006310948.tif 000005
【図４】
2006310948.tif 000006
【図５】
2006310948.tif 000007